(57)【要約】      （修正有）【課題】ミストによる効果を持続させることができる美容装置を提供する。【解決手段】美容装置は、有底略円筒状の本体ケースを有し、その本体ケースは美容装置本体１２が収容されて固定されている。そして、その本体ケースの開口部と面一をなす美容装置本体１２の上面は、前側半分が前方に傾斜し、その傾斜した面にノズル部位が設置されている。さらに、美容装置は、スチームミストＭ１を生成するミスト生成部２１と、帯電微粒子水Ｍ２を生成する帯電微粒子生成部２２を備えている。【選択図】図２
2011067254.tif 000002
【特許請求の範囲】
【請求項１】
ミストを生成するミスト生成部と、前記ミストを微細化するミスト微細化手段とを有する美容装置において
帯電微粒子液体を生成する帯電微粒子生成手段を備えたことを特徴とする美容装置。
【請求項２】
請求項１に記載の美容装置において、
前記微細化されたミストを吐出するミスト吐出口と、前記帯電微粒子液体を吐出する帯電微粒子吐出口とを有し、
前記ミスト吐出口と前記帯電微粒子吐出口とが左右に配置されることを特徴とする美容装置。
【請求項３】
請求項１に記載の美容装置において、
前記微細化されたミストを吐出するミスト吐出口と、前記帯電微粒子液体を吐出する帯電微粒子吐出口とを有し、
前記ミスト吐出口を下側に配置し、前記帯電微粒子吐出口を上側に配置することを特徴とする美容装置。
【請求項４】
請求項１に記載の美容装置において、
前記微細化されたミストを吐出するミスト吐出口と、前記帯電微粒子液体を吐出する帯電微粒子吐出口とを有し、
前記ミスト吐出口を上側に配置し、前記帯電微粒子吐出口を下側に配置することを特徴とする美容装置。
【請求項５】
請求項２〜４のいずれか１項に記載の美容装置において、
前記ミスト生成部から前記ミスト吐出口に前記ミストを供給するミスト案内管路と、前記ミスト案内管路と前記ミスト吐出口との間に、前記ミスト吐出口を前記美容装置に対して回動可能にするための第１接続部と、
前記帯電微粒子生成手段から前記帯電微粒子吐出口に前記帯電微粒子液体を供給する帯電微粒子案内管路と、前記帯電微粒子案内管路と前記帯電微粒子吐出口との間に、前記帯電微粒子吐出口を前記美容装置に対して回動可能にするための第２接続部とを有することを特徴とする美容装置。
【請求項６】
請求項２〜４のいずれか１項に記載の美容装置において、
前記ミスト生成部から前記ミスト吐出口に前記ミストを供給するミスト案内管路と、前記ミスト案内管路に設けられ、屈曲自在かつ収縮自在な第１管路と、
前記帯電微粒子生成手段から前記帯電微粒子吐出口に前記帯電微粒子液体を供給する帯電微粒子案内管路と、前記帯電微粒子案内管路に設けられ、屈曲自在かつ収縮自在な第２管路と、
前記ミスト吐出口と前記帯電微粒子吐出口が固着され、両吐出口とともにその回転軸を回転中心として回動する回転基板を有する回転機構を備えることを特徴とする美容装置。
【発明の詳細な説明】
【技術分野】
【０００１】
本発明は、ミスト及び帯電微粒子液体を吐出可能な美容装置に関するものである。
【背景技術】
【０００２】
従来、美容装置として、使用者の肌にハリや潤い等の美容効果を与える目的で、ミストを生成するミスト生成部が備えられているものがある。詳しくは、美容装置は、ミスト生成部で生成したミストを使用者に向けて吐出し、そのミストが使用者の肌に当たり浸透することで肌にハリや潤い等の美容効果を与えることができる。この種のミスト生成部では、液体をヒータにて沸騰させて気化させたり、超音波発振やベンチュリー効果などにより霧化させることで数〜数十μｍオーダーの粒径のミストを生成している。尚、ミストとは、前述のように液体を気化させたスチームミストや、液体を霧化させた冷ミスト等のことを指す。
【０００３】
しかしながら、このように生成したミストは、そのミスト粒子（数〜数十μｍオーダーの粒径）が大きいため、ミストに曝される使用者の肌の表面温度にムラが生じてしまう。これにより、使用者の肌においてハリや潤い等の美容効果が得られる箇所と得られない箇所ができてしまう。そこで、美容装置は、生成したミストをグロー放電やアーク放電に曝すことで、ミスト粒子を数百ｎｍオーダーの粒径にして微細化している。（例えば、特許文献１参照）
【先行技術文献】
【特許文献】
【０００４】
【特許文献１】特開２００６−２６３９５号公報
【発明の概要】
【発明が解決しようとする課題】
【０００５】
しかしながら、上記の美容装置では、使用者の肌に当たり浸透したミストが時間の経過とともに蒸発してしまうため、ミストによる肌のハリや潤い等の美容効果を持続することができないという問題があった。
【０００６】
本発明は、上記課題を解決するためになされたものであって、その目的は、ミストによる効果を持続させることができる美容装置を提供することにある。
【課題を解決するための手段】
【０００７】
上記課題を解決するために、請求項１に記載の発明は、ミストを生成するミスト生成部と、前記ミストを微細化するミスト微細化手段とを有する美容装置において、帯電微粒子液体を生成する帯電微粒子生成手段を備えたことをその要旨とする。
【０００８】
この発明では、美容装置は、帯電微粒子液体を生成する帯電微粒子生成手段を備えた。これにより、美容装置は、ミストと帯電微粒子液体を吐出することができる。従って、美容装置は、ミストが肌に当たり浸透した水分を、帯電微粒子液体の保湿効果により保つことができる。この結果、美容装置は、ミストによる肌のハリや潤い等の美容効果を、帯電微粒子液体により持続することができる。
【０００９】
請求項２に記載の発明は、請求項１に記載の美容装置において、前記微細化されたミストを吐出するミスト吐出口と、前記帯電微粒子液体を吐出する帯電微粒子吐出口とを有し、前記ミスト吐出口と前記帯電微粒子吐出口とが左右に配置されることをその要旨とする。
【００１０】
この発明では、美容装置は、ミスト吐出口と帯電微粒子吐出口を左右に配置した。従って、美容装置は、ミストと帯電微粒子液体を同じ高さから吐出することができる。この結果、使用者は、美容装置からのミストと帯電微粒子液体を同じ顔の位置で肌や髪に当てることができ、美容装置の利便性を向上することができる。
【００１１】
さらに、美容装置は、ミストと帯電微粒子液体を同じ箇所に同時に当てることができるため、短時間で肌や髪にハリや潤いなどの美容効果を与えることができる。
請求項３に記載の発明は、請求項１に記載の美容装置において、前記微細化されたミストを吐出するミスト吐出口と、前記帯電微粒子液体を吐出する帯電微粒子吐出口とを有し、前記ミスト吐出口を下側に配置し、前記帯電微粒子吐出口を上側に配置することをその要旨とする。
【００１２】
この発明では、美容装置は、ミスト吐出口を下側に配置し、帯電微粒子吐出口を上側に配置した。従って、美容装置は、ミストを下側から吐出し、帯電微粒子液体を上側から吐出するため、使用者が椅子に座って美容装置を使用する際、ミストを顔に吐出し、帯電微粒子液体を髪に吐出することができる。この結果、使用者が椅子に座って美容装置を使用する際、美容装置は、ミストの顔への吐出と、帯電微粒子液体の髪への吐出を同時に行うこともでき、美容装置の利便性を向上することができる。
【００１３】
請求項４に記載の発明は、請求項１に記載の美容装置において、前記微細化されたミストを吐出するミスト吐出口と、前記帯電微粒子液体を吐出する帯電微粒子吐出口とを有し、前記ミスト吐出口を上側に配置し、前記帯電微粒子吐出口を下側に配置することをその要旨とする。
【００１４】
この発明では、美容装置は、ミスト吐出口を上側に配置し、帯電微粒子吐出口を下側に配置した。従って、使用者が寝て美容装置を使用する際、使用者の顔の高さが低いため、美容装置１０が帯電微粒子液体Ｍ２を下側から吐出することで顔や髪に帯電微粒子液体Ｍ２を容易に吐出することができる。この結果、美容装置は、使用者が寝ている間も美容装置を使用することができ、美容装置の利便性を向上することができる。
【００１５】
請求項５に記載の発明は、請求項２〜４のいずれか１項に記載の美容装置において、前記ミスト生成部から前記ミスト吐出口に前記ミストを供給するミスト案内管路と、前記ミスト案内管路と前記ミスト吐出口との間に、前記ミスト吐出口を前記美容装置に対して回動可能にするための第１接続部と、前記帯電微粒子生成手段から前記帯電微粒子吐出口に前記帯電微粒子液体を供給する帯電微粒子案内管路と、前記帯電微粒子案内管路と前記帯電微粒子吐出口との間に、前記帯電微粒子吐出口を前記美容装置に対して回動可能にするための第２接続部とを有することをその要旨とする。
【００１６】
この発明では、美容装置は、ミスト吐出口とミスト案内管路との間、帯電微粒子吐出口と帯電微粒子案内管路との間に、美容装置に対して回動可能な第１及び第２接続部をそれぞれ設けた。従って、使用者は、美容装置に対して顔を動かさずにミスト吐出口及び帯電微粒子吐出口を美容装置に対して回動させるだけでミスト及び帯電微粒子液体を肌や髪に当てることができ、美容装置の利便性を向上することができる。
【００１７】
請求項６に記載の発明は、請求項２〜４のいずれか１項に記載の美容装置において、前記ミスト生成部から前記ミスト吐出口に前記ミストを供給するミスト案内管路と、前記ミスト案内管路に設けられ、屈曲自在かつ収縮自在な第１管路と、前記帯電微粒子生成手段から前記帯電微粒子吐出口に前記帯電微粒子液体を供給する帯電微粒子案内管路と、前記帯電微粒子案内管路に設けられ、屈曲自在かつ収縮自在な第２管路と、前記ミスト吐出口と前記帯電微粒子吐出口が固着され、両吐出口とともにその回転軸を回転中心として回動する回転基板を有する回転機構を備えることをその要旨とする。
【００１８】
この発明では、美容装置は、ミスト案内管路及び帯電微粒子案内管路に屈曲自在かつ収縮自在な第１及び第２管路をそれぞれ備えた。さらに、美容装置は、ミスト吐出口と帯電微粒子吐出口とともに、回転軸を回転中心として回動する回転基板を有する回転機構を備えた。従って、美容装置は、回転機構を設けるだけで容易に、ミスト吐出口と帯電微粒子吐出口を、上下に配置したり左右に配置したり自由に配置を変更することができる。
【発明の効果】
【００１９】
本発明によれば、ミストによる効果を持続させることができる美容装置を提供することができる。
【図面の簡単な説明】
【００２０】
【図１】本実施形態における美容装置を示す斜視図である。
【図２】同美容装置に備えたミスト生成部と帯電微粒子生成部の概略構成図である。
【図３】別例の美容装置を示す斜視図である。
【図４】別例の美容装置を示す斜視図である。
【図５】別例の美容装置の概略構成図である。
【図６】第１接続部の拡大図である。
【図７】別例の美容装置の概略構成図である。
【発明を実施するための形態】
【００２１】
（第１実施形態）
以下、本実施形態を図１及び図２に従って説明する。
以下の説明において、「前」「後」「上」「下」「左」「右」は、美容装置の使用者が、美容装置を使用する際に美容装置に向いた状態を基準とした場合の「前」「後」「上」「下」「左」「右」をいう。また、説明を容易に理解するために、向きについて、Ｘ，Ｙ，Ｚ軸座標で表すとき、「前」から「後」に向かう向きでＹ軸、「下」から「上」に向かう向きをＺ軸、「左」から「右」に向かう向きをＸ軸をとする。
【００２２】
図１に示すように、美容装置１０は、有底略円筒状の本体ケース１１を有し、その本体ケース１１には美容装置本体１２が収容されて固定されている。そして、その本体ケース１１の開口部と面一をなす美容装置本体１２の上面は、前側半分が前方に傾斜し、その傾斜した面にノズル部位１３が設置されている。
【００２３】
ノズル部位１３は、美容装置本体１２の上面中央に設けられており、スチームミストＭ１を吐出するミストノズル１４、帯電微粒子水Ｍ２を吐出する帯電微粒子ノズル１５を有している。ミストノズル１４はノズル部位１３の右側に配置され、帯電微粒子ノズル１５はノズル部位１３の左側に配置されている。
【００２４】
スチームミストＭ１は、粒径が数百ｎｍオーダーのミストであって、顔などの人体に向けて吐出することで、血行を良くし、肌に水分を与えて、肌にハリや潤いを与えることができる。帯電微粒子水Ｍ２は、粒径が数〜数十ｎｍオーダーの帯電微粒子水であって、顔などの人体に向けて吐出することで、肌を保湿し、肌のハリや潤いを持続することができる。さらに、帯電微粒子水Ｍ２は、髪に向けて吐出することで、髪のキューティクルを引き締めて艶のある髪にすることができる。
【００２５】
ミストノズル１４、帯電微粒子ノズル１５の各吐出方向は前側斜め上方の同一方向に向くように設定され、美容装置１０の前側と使用者と対向するように使用した時のその使用者の顔に向けて吐出方向が向くように設定されている。尚、両ノズルは本体正面に設定されてもよい。
【００２６】
尚、ノズル部位１３は、Ｙ軸とＺ軸がなす面（ＹＺ平面）に対して平行に回動可能に美容装置本体１２に設けられている。従って、ノズル部位１３をＹＺ平面と平行に回動させることによって、各ノズル１４，１５の吐出角度を一体的な調整が可能となっている。
【００２７】
また、ノズル部位１３の後方には、美容装置本体１２の上面から凹設されてなるタンク収容部１６が設けられており、該タンク収容部１６内に開口部と面一となるように給水タンク１８が着脱可能に収容されている。給水タンク１８は、使用者が美容装置１０から取り外して給水可能になっており、貯留した水ＷからスチームミストＭ１の生成が行われる。
【００２８】
美容装置１０には、スチームミストＭ１を生成するミスト生成部２１と、帯電微粒子水Ｍ２を生成する帯電微粒子生成部２２を備えている。図２は、そのミスト生成部２１と帯電微粒子生成部２２の概略構成図である。
【００２９】
図２に示すように、ミスト生成部２１は、給水タンク１８、ボイラ室２５、放電部２６を有している。給水タンク１８は、給水管路Ｐ１を介してボイラ室２５に水Ｗを供給する。なお、給水管路Ｐ１は、排水管路Ｐ２を介して排水口２７と連通しており、排水管路Ｐ２上の止水弁Ｂを制御することで美容装置１０内の排水を行うことが可能となっている。
【００３０】
ボイラ室２５は水Ｗを加熱するためのヒータ２８を備え、給水タンク１８から供給された水Ｗをヒータ２８にて加熱して気化させる。ボイラ室２５は、その気化した水蒸気（数μｍオーダーの粒径）を、ミスト案内管路Ｐ３を介してミストノズル１４に供給する。ミスト案内管路Ｐ３は、ミストノズル１４側に放電部２６が設けられている。
【００３１】
放電部２６は、放電により通過する水蒸気（数μｍオーダーの粒径）を数百ｎｍオーダーの粒径のスチームミストＭ１に微細化してミストノズル１４に供給している。
帯電微粒子生成部２２は、放電電極とグランド電極を有している。帯電微粒子ノズル１５側にグランド電極が設けられ、グランド電極を挟んで帯電微粒子ノズル１５と反対側に放電電極が設けられている。放電電極は、その先端部に水Ｗが供給され、その水Ｗが供給された状態で、放電電極とグランド電極との間に高電圧印加する。高電圧印加によって、先端部に供給された水Ｗは、レイリー分裂を起こすことで静電霧化して粒径が数〜数十ｎｍオーダーの帯電微粒子水Ｍ２の生成を行っている。
【００３２】
この場合、放電電極の先端部への水Ｗの供給手段としては、給水タンク１８に溜めた水Ｗを毛細管現象により放電電極の先端部に供給する手段や、放電電極をペルチェ素子のような冷却手段により冷却して空気中の水分を放電電極の先端部に結露させて結露水として供給する手段等がある。
【００３３】
そして、帯電微粒子生成部２２は、生成した帯電微粒子水Ｍ２を帯電微粒子案内管路Ｐ４を介して帯電微粒子ノズル１５に供給する。
次に、本実施形態の特徴的な作用効果を記載する。
【００３４】
（１）本実施形態では、美容装置１０は、粒径が数〜数十ｎｍオーダーの帯電微粒子水Ｍ２を生成する帯電微粒子生成部２２を設けた。これにより、美容装置１０は、数百ｎｍオーダーの粒径のスチームミストＭ１と数十ｎｍオーダーの粒径の帯電微粒子水Ｍ２を吐出することができる。従って、美容装置１０は、スチームミストＭ１が肌に当たり浸透した水分を、帯電微粒子水Ｍ２の保湿効果により保つことができる。この結果、美容装置１０は、スチームミストＭ１による肌のハリや潤い等の美容効果を、帯電微粒子水Ｍ２により持続することができる。
【００３５】
（２）本実施形態では、美容装置１０は、ノズル部位１３においてミストノズル１４を右側に配置し、帯電微粒子ノズル１５を左側に配置した。従って、美容装置１０は、スチームミストＭ１と帯電微粒子水Ｍ２を同じ高さから吐出することができる。この結果、使用者は、美容装置１０からのスチームミストＭ１と帯電微粒子水Ｍ２を同じ顔の位置で肌や髪に当てることができ、美容装置１０の利便性を向上することができる。
【００３６】
さらに、スチームミストＭ１と帯電微粒子水Ｍ２を同じ箇所に同時に当てることができるため、短時間で肌や髪にハリや潤いなどの美容効果を与えることができる。
尚、本発明の実施形態は、以下のように変更してもよい。
【００３７】
・上記実施形態では、美容装置１０は、ミストノズル１４を右側に配置し、帯電微粒子ノズル１５を左側に配置していた。これに限らず、美容装置１０は、ミストノズル１４を左側に配置し、帯電微粒子ノズル１５を右側に配置してもよい。このようにしても、上記の実施の形態と同様な効果を得ることができる。
【００３８】
・さらに、美容装置１０は、ミストノズル１４と帯電微粒子ノズル１５を上下に配置してもよい。
具体的には、図３に示すように、美容装置１０は、ミストノズル１４を上側に配置し、帯電微粒子ノズル１５を下側に配置してもよい。帯電微粒子水Ｍ２はスチームミストＭ１より水分量が少なく周囲の湿度を上昇させないため、使用者が寝た状態でも美容装置１０からの帯電微粒子水Ｍ２を肌や髪に当てることができる。この場合、使用者が寝て美容装置を使用する際、使用者の顔の高さが低いため、美容装置１０が帯電微粒子水Ｍ２を下側から吐出することで髪に帯電微粒子水Ｍ２を容易に吐出することができる。従って、美容装置１０は、使用者が寝ている間も美容装置１０を使用することができ、美容装置１０の利便性を向上することができる。
【００３９】
また、図４に示すように、美容装置１０は、ミストノズル１４を下側に配置し、帯電微粒子ノズル１５を上側に配置してもよい。この場合、美容装置１０は、スチームミストＭ１が下側から吐出し、帯電微粒子水Ｍ２が上側から吐出するため、使用者が椅子に座って美容装置１０を使用する際、スチームミストＭ１を顔に吐出し、帯電微粒子水Ｍ２を髪に吐出することができる。従って、使用者が椅子に座って美容装置１０を使用する際、スチームミストＭ１の顔への吐出と、帯電微粒子水Ｍ２の髪への吐出を同時に行うことができ、美容装置１０の利便性を向上することができる。
【００４０】
さらに、ミストノズル１４と帯電微粒子ノズル１５を２重口の構成にしてもよい。このようにしても、上記実施形態の効果と同様な効果を得ることができる。
・上記実施形態では、ミストノズル１４及び帯電微粒子ノズル１５は、図１においてＹＺ平面に対して平行に回動可能に設けた。これに限らず、図５に示すように、ミストノズル１４及び帯電微粒子ノズル１５は、ミスト案内管路Ｐ３及び帯電微粒子案内管路Ｐ４に屈曲及び収縮可能な第１及び第２接続部２９，３０をそれぞれ設けてもよい。これによって、ミストノズル１４及び帯電微粒子ノズル１５を、図１に示す美容装置１０に対してそれぞれＹＺ平面、Ｚ軸とＸ軸がなす面（ＺＸ平面）と平行に回動可能とすることができる。
【００４１】
図６に、ミストノズル１４の第１接続部２９の機構を示す。尚、帯電微粒子ノズル１５の第２接続部３０は、接続するノズルの対象が異なるだけなので、説明の便宜上、ミストノズル１４の第１接続部２９を説明し、帯電微粒子ノズル１５の第２接続部３０についてはその説明を省略する。
【００４２】
図６において、第１接続部２９は、蛇腹部３１、ノズル支持機構３２を有している。蛇腹部３１は、蛇腹状に形成されて屈曲及び収縮可能になっており、ミスト案内管路Ｐ３とミストノズル１４との間に介在される。蛇腹部３１は、連通するミスト案内管路Ｐ３からのスチームミストＭ１をミストノズル１４に供給する。
【００４３】
ノズル支持機構３２は、基端部がミスト案内管路Ｐ３に連結固定された一対の第１支持片４０、一対の第１支持片４０の先端部間において回動可能に支持される四角枠状の回動枠体４１、基端部が回動枠体４１に連結固定されて先端部がミストノズル１４を回動可能に支持する一対の第２支持片４２を有している。
【００４４】
一対の第１支持片４０は、その基端部がミスト案内管路Ｐ３の左右両側面でそれぞれ連結固定されている。そして、一対の第１支持片４０は、ミスト案内管路Ｐ３に連結された蛇腹部３１を挟むようにして同蛇腹部３１に沿ってそれぞれ配設されている。
【００４５】
一対の第１支持片４０の先端部間には、蛇腹部３１を貫挿した四角枠状の回動枠体４１が第１軸Ａ１にて回動可能に支持されている。詳述すると、一対の第１支持片４０の先端部に相対向するように固着した第１軸Ａ１に対して、回動枠体４１の左右側枠４１ａ，４１ｂが回動可能に連結され、回動枠体４１が、一対の第１支持片４０に対して第１軸Ａ１の中心軸線を回動中心としてＹＺ平面に対して平行に回動する。
【００４６】
回動枠体４１の上下側枠４１ｃ，４１ｄには、一対の第２支持片４２の基端部がそれぞれ連結固定されている。一対の第２支持片４２は、回動枠体４１を貫挿した蛇腹部３１を挟むようにして同蛇腹部３１に沿ってそれぞれ配設されている。
【００４７】
一対の第２支持片４２の先端部間には、蛇腹部３１と連結したミストノズル１４が第２軸Ａ２にて回動可能に支持されている。詳述すると、一対の第２支持片４２の先端部に相対向するように固着した第２軸Ａ２に対して、ミストノズル１４が回動可能に連結され、ミストノズル１４が、一対の第２支持片４２に対して第２軸Ａ２の中心軸線を回動中心として回動するようになっている。すなわち、ミストノズル１４は、第２軸Ａ２の中心軸線を回動中心としてＺＸ平面に対して平行に回動する。
【００４８】
従って、ミストノズル１４は、第１軸Ａ１にて図１に示す美容装置１０に対してＹＺ平面と平行に回動可能となり、第２軸Ａ２にて図１に示す美容装置１０に対してＺＸ平面と平行に回動可能となっている。この結果、使用者は、図１に示す美容装置１０に対して顔を動かさずにミストノズル１４及び帯電微粒子ノズル１５を動かすだけでスチームミストＭ１及び帯電微粒子水Ｍ２を肌や髪に当てることができ、美容装置１０の利便性を向上することができる。
【００４９】
・さらに、図７に示すように、美容装置本体１２に回転機構Ｒを設け、その回転機構にミストノズル１４及び帯電微粒子ノズル１５を固着してもよい。これによって、ミストノズル１４及び帯電微粒子ノズル１５を、美容装置本体１２に対して同期して回転機構の中心を回転中心として回動可能とすることができる。
【００５０】
図７に示すように、回転機構Ｒは、円板上の回転基板５０を有している。回転基板５０は、その下面中心位置に回転軸Ａ３が設けられ、その回転軸Ａ３が美容装置本体１２に対して回転可能に支持されている。
【００５１】
円板上の回転基板５０には、回転軸Ａ３を挟んで相対向するように第１ノズル収容孔５１と第２ノズル収容孔５２とが貫通形成されている。第１ノズル収容孔５１には、ミストノズル１４が嵌合支持固定され、第２ノズル収容孔５２には、帯電微粒子ノズル１５が嵌合支持固定されている。そして、第１ノズル収容孔５１に支持固定されたミストノズル１４は、基端が屈曲自在かつ収縮自在な第１蛇腹部５３を介してミスト案内管路Ｐ３に連結されている。また、第２ノズル収容孔５２に支持固定された帯電微粒子ノズル１５の基端が屈曲自在かつ収縮自在な第２蛇腹部５４を介して帯電微粒子案内管路Ｐ４に連結されている。
【００５２】
これにより、ミストノズル１４と帯電微粒子ノズル１５は、回転基板５０に固着され、回転基板５０が美容装置本体１２に対して回転軸Ａ３を回転中心として回動する際、その回転基板５０の回動とともに美容装置本体１２に対して回転軸Ａ３を回転中心として回動することができる。
【００５３】
従って、美容装置１０は、回転機構Ｒとしての回転基板５０及び回転軸Ａ３を設けるだけで容易に、ミストノズル１４と帯電微粒子ノズル１５を、上記のように、上下に配置したり左右に配置したり自由に配置を変更することができる。
・本実施形態では、液体として水Ｗを用いてスチームミストＭ１及び帯電微粒子水Ｍ２を生成したが、これに限らず、液体として化粧水や芳香剤などの薬液を用いても良い。従って、美容装置は、上記実施の形態の効果に加えて、化粧水による美容効果や芳香剤によるリラックス効果などの薬液による効果を得ることができる。
【符号の説明】
【００５４】
１０…美容装置、１４…ミスト吐出口（ミストノズル）、１５…帯電微粒子吐出口（帯電微粒子ノズル）、２１…ミスト生成部、２２…帯電微粒子生成手段（帯電微粒子生成部）、２６…ミスト微細化手段（放電部）、２９…第１接続部、３０…第２接続部、５０…回転基板、５３…第１管路（第１蛇腹部）、５４…第２管路（第２蛇腹部）、Ｒ…回転機構、Ｍ１…ミスト（スチームミスト）、Ｍ２…帯電微粒子液体（帯電微粒子水）、Ｐ３…ミスト案内管路、Ｐ４…帯電微粒子案内管路
【図１】
2011067254.tif 000003
【図２】
2011067254.tif 000004
【図３】
2011067254.tif 000005
【図４】
2011067254.tif 000006
【図５】
2011067254.tif 000007
【図６】
2011067254.tif 000008
【図７】
2011067254.tif 000009